(57)【要約】【課題】ショーケースへの商品の補充作業を円滑に行うことができる商品陳列販売用収納具を提供する。【解決手段】商品陳列販売用収納具３は、本体３１内に複数の商品を外部より視認可能な状態で収納する商品収納部３３、３３を備えており、ショーケースの陳列室内に陳列される持ち運び可能なものである。商品収納部３３の底面は、当該商品収納部３３内に収納された商品が滑動する滑らかな滑動面とされている。商品収納部３３の周囲に位置して商品を保持する商品保持部３６を備えており、商品保持部３６は、所定の高さ寸法を有すると共に、その一端部は他の部分より低く構成されている。【選択図】図３
2008272052.tif 000002
【特許請求の範囲】
【請求項１】
本体内に複数の商品を外部より視認可能な状態で収納する商品収納部を備え、ショーケースの陳列室内に陳列される持ち運び可能な商品陳列販売用収納具。
【請求項２】
前記商品収納部の底面は、当該商品収納部内に収納された商品が滑動する滑らかな滑動面とされていることを特徴とする請求項１に記載の商品陳列販売用収納具。
【請求項３】
前記本体は、前記商品収納部の周囲に位置して商品を保持する商品保持部を備え、該商品保持部は、所定の高さ寸法を有すると共に、その一端部は他の部分より低く構成されていることを特徴とする請求項１又は請求項２に記載の商品陳列販売用収納具。
【請求項４】
持ち運び用のハンドルを備え、該ハンドルは、それを握持した状態で前記商品保持部の他端部側が低くなる形状とされていることを特徴とする請求項３に記載の商品陳列販売用収納具。
【請求項５】
前記本体は、前記商品収納部の一端部、及び／又は、他端部にプライスカードを着脱可能に保持するカード保持部を備えることを特徴とする請求項１乃至請求項４の何れかに記載の商品陳列販売用収納具。
【請求項６】
請求項１乃至請求項５の何れかに記載の商品陳列販売用収納具を保持する一対の保持レールを備え、該保持レールは、前記陳列室内において高さ位置を変更可能に取り付けられることを特徴とするショーケース。
【請求項７】
前記一対の保持レールが着脱可能に取り付けられるラックを備え、該ラックは、前記陳列室の棚支柱に着脱可能に取り付けられることを特徴とする請求項６に記載のショーケース。
【請求項８】
前記保持レールには、前記商品陳列販売用収納具に係脱自在に係合する係合部が形成されていることを特徴とする請求項６又は請求項７に記載のショーケース。
【請求項９】
前記係合部は、前記保持レールの長手方向において前記商品陳列販売用収納具に並設された複数の被係合部に係脱可能に係合することを特徴とする請求項８に記載のショーケース。
【請求項１０】
前記係合部は、前記保持レールの長手方向における所定寸法に渡って前記商品陳列販売用収納具に係合することを特徴とする請求項８又は請求項９に記載のショーケース。
【発明の詳細な説明】
【技術分野】
【０００１】
本発明は、ショーケースの陳列室内にて商品を陳列販売するために用いられる商品陳列販売用収納具と、それを用いたショーケースに関するものである。
【背景技術】
【０００２】
従来よりスーパーマーケットやコンビニエンスストア等の店舗では、缶入り飲料やペットボトル入り飲料等の商品をショーケースに陳列し、冷却、或いは、加温しながら販売している。このような飲料販売用のショーケースは、前面に開口する陳列室を備えており、この陳列室内に架設された複数段の棚上に商品が陳列される（例えば、特許文献１参照）。
【０００３】
また、この場合商品は同一の銘柄のものが前後方向に一列、又は、複数列（最大六列程度）並べられる。そして、棚は手前側に低く傾斜しており、顧客が最前列の商品を取り出すと、この商品の取出に伴い、その後側の商品が手前に滑って移動するものであった。また、棚上に商品を補充する際には、段ボール製の梱包箱毎ショーケースの前まで商品を運搬し、棚を引き出した状態で、梱包箱内から一本ずつ商品を掴んで取り出し、棚上に並べる作業が行われていた。
【特許文献１】特開平６−２５３９６１号公報
【発明の開示】
【発明が解決しようとする課題】
【０００４】
このように、従来ではショーケースの前まで運んだ梱包箱内から商品を一本々取り出して商品を補充していたため、顧客の購買の邪魔になる問題があった。特に、繁盛店、或いは、繁忙期には、商品は補充された直後から購入される場合が多く、そのために、係る店舗ではバックヤードに冷却庫、或いは、加温庫を準備し、この冷却庫、或いは、加温庫にて商品を予め冷却、或いは、加温しておき、ショーケースに補充された直後から適温で販売可能とする必要がある。しかしながら、例えば梱包箱ごと冷却庫で予冷すると、結露等で箱が壊れやすくなり、運搬の際に破れて商品が散乱する危険性があった。
【０００５】
本発明は、係る従来の技術的課題を解決するために成されたものであり、ショーケースへの商品の補充作業を円滑に行うことができる商品陳列販売用収納具及びそれを用いて商品を陳列販売するショーケースを提供するものである。
【課題を解決するための手段】
【０００６】
本発明の商品陳列販売用収納具は、本体内に複数の商品を外部より視認可能な状態で収納する商品収納部を備えており、ショーケースの陳列室内に陳列される持ち運び可能なものであることを特徴とする。
【０００７】
請求項２の発明の商品陳列販売用収納具は、上記発明において商品収納部の底面は、当該商品収納部内に収納された商品が滑動する滑らかな滑動面とされていることを特徴とする。
【０００８】
請求項３の発明の商品陳列販売用収納具は、上記各発明において本体は、商品収納部の周囲に位置して商品を保持する商品保持部を備えており、この商品保持部は、所定の高さ寸法を有すると共に、その一端部は他の部分より低く構成されていることを特徴とする。
【０００９】
請求項４の発明の商品陳列販売用収納具は、上記発明において持ち運び用のハンドルを備えており、このハンドルは、それを握持した状態で商品保持部の他端部側が低くなる形状とされていることを特徴とする。
【００１０】
請求項５の発明の商品陳列販売用収納具は、上記各発明において本体は、商品収納部の一端部、及び／又は、他端部にプライスカードを着脱可能に保持するカード保持部を備えることを特徴とする。
【００１１】
請求項６の発明のショーケースは、請求項１乃至請求項５の何れかに記載の商品陳列販売用収納具を保持する一対の保持レールを備えており、この保持レールは、陳列室内において高さ位置を変更可能に取り付けられることを特徴とする。
【００１２】
請求項７の発明のショーケースは、上記発明において一対の保持レールが着脱可能に取り付けられるラックを備えており、このラックは、陳列室の棚支柱に着脱可能に取り付けられることを特徴とする。
【００１３】
請求項８の発明のショーケースは、請求項６又は請求項７の発明において保持レールには、商品陳列販売用収納具に係脱自在に係合する係合部が形成されていることを特徴とする。
【００１４】
請求項９の発明のショーケースは、上記発明において係合部は、保持レールの長手方向において商品陳列販売用収納具に並設された複数の被係合部に係脱可能に係合することを特徴とする。
【００１５】
請求項１０の発明のショーケースは、請求項８又は請求項９の発明において係合部は、保持レールの長手方向における所定寸法に渡って商品陳列販売用収納具に係合することを特徴とする。
【発明の効果】
【００１６】
本発明の商品陳列販売用収納具を用いれば、本体内の商品収納部に複数の商品を収納した状態で、ショーケースの陳列室内に陳列することにより、外部より視認可能な状態で複数の商品を陳列室内に陳列することが可能となる。即ち、複数の商品を収納具ごとショーケースの陳列室内に陳列することができるので、陳列室への商品補充作業を著しく簡素化して作業を円滑化することができるようになる。
【００１７】
また、同銘柄の商品を収納具に収納することで、銘柄別に商品を陳列する作業も極めて容易となる。特に、商品を冷却又は加温しながら陳列するショーケースの場合には、収納具に複数の商品を収納した状態でバックヤードにて予め冷却又は加温しておけば、そのままショーケースに運んで陳列することも可能となるので、商品の販売機会を最大限拡大することも可能となるものである。
【００１８】
また、請求項２の発明の商品陳列販売用収納具によれば、上記発明に加えて商品収納部の底面が、当該商品収納部内に収納された商品が滑動する滑らかな滑動面とされているので、商品収納部内において商品を容易に整頓することが可能となる。特に、収納具が陳列室内で手前側に低く傾斜して設けられた場合に、最前列の商品が取り出された時点でその後側の商品は円滑に最前列に移動することができるようになるものである。
【００１９】
また、請求項３の発明の商品陳列販売用収納具によれば、上記各発明に加えて本体が、商品収納部の周囲に位置して商品を保持する商品保持部を備えており、この商品保持部は、所定の高さ寸法を有すると共に、その一端部は他の部分より低く構成されているので、商品収納部に背の高い商品を収納した場合にも確実に保持することが可能となると共に、背の低い商品を収納した場合には、商品保持部の一端部が手前となるように陳列室内に設けることにより、支障無く商品収納部から商品を取り出すことができるようになるものである。
【００２０】
特に、請求項４の発明の如く持ち運び用のハンドルを設け、このハンドルの形状を、それを握持した状態で商品保持部の他端部側が低くなるようにしておけば、持ち運びの際にハンドルを握持すると、商品保持部の一端部より高さの高い他端部側に商品が寄りかかることになるので、持ち運び時に背の高い商品が落下してしまう不都合も防止することが可能となる。
【００２１】
また、請求項５の発明の商品陳列販売用収納具によれば、上記各発明に加えて本体が、商品収納部の一端部、及び／又は、他端部にプライスカードを着脱可能に保持するカード保持部を備えているので、商品の価格や名称が表示されたプライスカードを収納具自体に設けることができるようになり、プライスカードの設置作業も容易となる。
【００２２】
そして、請求項６の発明のショーケースは、請求項１乃至請求項５の何れかに記載の商品陳列販売用収納具を保持する一対の保持レールを備えており、この保持レールが、陳列室内において高さ位置を変更可能に取り付けられる構成とされているので、商品の高さ寸法に合わせて保持レールを取り付ける高さ位置を変更し、収納具ごと陳列室内に効率よく商品を陳列することができるようになるものである。
【００２３】
特に、請求項７の発明の如く一対の保持レールが着脱可能に取り付けられるラックを設け、このラックを、陳列室の棚支柱に着脱可能に取り付ける構成とすることにより、陳列室内に棚が架設される通常のショーケースの棚支柱を利用して陳列室内にラックを取り付け、保持レールに商品陳列販売用収納具を設けることが可能となり、汎用性の著しい改善を図ることが可能となるものである。
【００２４】
また、請求項８の発明のショーケースによれば、商品陳列販売用収納具に係脱自在に係合する係合部を保持レールに形成しているので、保持レールからの収納具の脱落を防止することができるようになる。
【００２５】
更に、請求項９の発明の如く係合部が、保持レールの長手方向において商品陳列販売用収納具に並設された複数の被係合部に係脱可能に係合する構成とすることにより、一旦係合部から収納具が外れた場合にも、保持レールの長手方向に移動した段階で他の被係合部に係合部が係合できるようになり、保持レールからの収納具の脱落を効果的に防止することができるようになる。
【００２６】
特に、請求項１０の発明の如く係合部が、保持レールの長手方向における所定寸法に渡って商品陳列販売用収納具に係合する構成とすることにより、係合部と被係合部との係合点を中心として収納具が回転してしまう不都合も防止でき、保持レールからの収納具の脱落を一層確実に防止することができるようになるものである。
【発明を実施するための最良の形態】
【００２７】
以下、図面に基づいて本発明の実施形態を詳述する。
【実施例１】
【００２８】
図１は本発明を適用したショーケースの実施例としての低温ショーケース１の斜視図、図２は低温ショーケース１に取り付けられたラック２の斜視図、図３は本発明を適用した商品陳列販売用収納具の実施例としての収納具３の斜視図、図４は収納具３のもう一つの斜視図、図５は収納具３の透視斜視図、図６は商品Ｇを収納した状態の収納具３の斜視図、図７は収納具３のもう一つの透視斜視図、図８は収納具３の平面図、図９は収納具３の底面図、図１０は収納具３の正面図、図１１は収納具３の背面図、図１２は収納具３の透視正面図、図１３は収納具３の右側面図、図１４は収納具３の左側面図、図１５は収納具３の縦断正面図、図１６は収納具３の縦断側面図、図１７は収納具３前部の拡大縦断側面図、図１８はラック２に取り付けられる保持レール４Ａ、４Ｂの斜視図、図１９は保持レール４Ａ、４Ｂに保持された状態の収納具３の透視斜視図、図２０は保持レール４Ａ、４Ｂに保持された状態の収納具３のもう一つの透視斜視図、図２１は図２０の収納具３の縦断側面図、図２２は図２０の収納具３のもう一つの縦断側面図をそれぞれ示している。
【００２９】
実施例の低温ショーケース１は、例えばコンビニエンスストアの店舗内に設置されてペットボトル飲料や缶飲料等の商品Ｇ１〜Ｇ３を冷却しながら陳列販売するためのオープンショーケースであり、断熱壁６と側板（透明ガラス８が組み込まれている）７とから構成された本体９内に前面が開口した陳列室１１が構成されている。また、本体９の下部には圧縮機や凝縮器等の冷却ユニットが設置された機械室１２とされている。
【００３０】
実施例の低温ショーケース１は、実施例では本来陳列室１１内に架設された棚上に商品を載置して陳列する通常のオープンショーケースである。従って、陳列室１１内の背部には、棚保持用のブラケットを着脱可能に取り付けるための複数の係合孔を備えた図示しない棚支柱が設けられている。そして、陳列室１１と仕切られた図示しないダクト内に設置された冷却器（前記冷凍ユニットを構成する）と熱交換した冷気を、これも図示しない送風機によって陳列室１１の開口上縁より吹き出し、下縁から吸い込む（上縁には図示しない冷気吹出口、下縁には冷気吸込口１３が形成されている）ことにより、開口に冷気エアーカーテンを形成しながら、陳列室１１内を所定温度（冷蔵温度）に冷却する構成とされている。
【００３１】
但し、本発明においては棚及びブラケットは撤去され、代わりに陳列室１１内には図２に示すラック２が実施例では四個取り付けられる。このラック２は、上下面１４、１６と四隅の支柱１７・・・を備えた鋼板製の枠部材であり、各支柱１７・・・の側面を構成する壁には、係合孔１８が上下方向に所定の間隔を存して複数形成されている。また、支柱１７を垂直方向とした場合、実施例では上下面１４、１６は手前側に低く傾斜しており、前側左右の支柱１７、１７の係合孔１８・・は、全体的に後側左右の支柱１７、１７の係合孔１８・・よりもその傾斜分だけ低い位置となっている。
【００３２】
更に、実施例ではラック２の後端部上下に、低温ショーケース１の前述した棚支柱の係合孔（本来棚保持用のブラケットが係合する係合孔）に着脱可能に係合するための係合爪１９、１９が設けられており、更に、前部上下には図示しない連結具を取り付けるための連結孔２１、２１が形成されている。
【００３３】
そして、ラック２は低温ショーケース１の陳列室１１内に四個並べて収納される。その際、後端部の係合爪１９、１９が前述した棚支柱の係合孔に着脱自在に係合する。また、隣接するラック２、２は連結孔２１、２１を利用して図示しない着脱可能な連結具にて相互に連結される。これにより、各ラック２・・・は強固に、且つ、着脱可能に陳列室１１内に設置されることになる。また、係る構成により、通常の低温ショーケース１をそのまま利用してラック２・・・を取り付けることができるようになる。
【００３４】
また、各ラック２・・・には図１８に示すような一対の保持レール４Ａ、４Ｂが複数対（実施例では一つのラック２について上下に三対若しくは五対）取り付けられる。保持レール４Ａ、４Ｂは鋼板製で、相互に対称形状を呈しており、長手方向（前後方向）に延在するレール壁２２と、このレール壁２２の外縁から起立する外壁２３とからそれぞれ構成されている。この外壁２３の外面前後には係合爪２４、２４が突出形成されており、外壁２３の内面後端部にはレール壁２２の上方に所定の間隔を存して平行に対峙する抑え部２６が形成されている。また、レール壁２２の内縁前端部には、係合部２７が起立形成されている。この係合部２７は前記抑え部２６の下面と略同じ高さまで所定寸法起立した後、後方に略直角に折れ曲がり、所定寸法延在する形状を呈している。
【００３５】
このような保持レール４Ａ、４Ｂはラック２の前後の支柱１７、１７の係合孔１８、１８に係合爪２４、２４をそれぞれ着脱可能に係合させることで、陳列室１１内において高さ位置変更可能に取り付けられる。その際、当然に保持レール４Ａは対を成す保持レール４Ｂと同じ高さ（同じ傾斜）とされると共に、実施例では前述したように前側の支柱１７の係合孔１８は後側の支柱１７の係合孔１８よりも全体的に低い位置にあるため、上から同じ順番の係合孔１８に係合させることにより、保持レール４Ａ、４Ｂは手前側に低く傾斜して配置される。また、三対又は五対の保持レール４Ａ、４Ｂの各対は上下に等間隔で配置される。
【００３６】
ここで、実施例では商品Ｇ１は背の高いペットボトル飲料、Ｇ２は背の低いペットボトル飲料、Ｇ３は背の低い缶飲料（コーヒー等）であるものとすると、図１の左端の列に示す背の高い商品Ｇ１の場合には、保持レール４Ａ、４Ｂはラック２に対して上下に三対取り付けられ、背の低い商品Ｇ２、Ｇ３の場合には、図１の右端から三列に示すように、保持レール４Ａ、４Ｂはラック２に対して上下に五対取り付けられる。そして、三対の場合の上下の保持レール４Ａ、４Ａの間隔は、商品Ｇ１と後述する収納具３が上下に必要最小限の間隔で配置可能な寸法とされ、五対の場合の上下の保持レール４Ａ、４Ａの間隔は、商品Ｇ２、或いは、Ｇ３と収納具３が上下に必要最小限の間隔で配置可能な寸法とされ、これにより、図１のように陳列室１１内に必要最小限の余裕を持って効率よく収納具３と商品Ｇ１〜Ｇ３を陳列できるように構成されている。
【００３７】
次に、図３乃至図１７を参照して本発明の商品陳列販売用収納具の実施例である収納具３について説明する。実施例の収納具３は手に持って容易に持ち運び可能であり、低温ショーケース１の陳列室１１内に複数個収納可能な全体寸法を有しており、透明硬質樹脂から構成された本体３１と、この本体３１の底部にネジ止め、或いは、溶着固定された透明硬質樹脂製の平板状下部材３２とから構成されている。本体３１内には左右二列の商品収納部３３、３３が前後方向に渡って構成されており、各商品収納部３３、３３は、商品Ｇ１〜Ｇ３をそれぞれ前後方向（長手方向）一列に複数本（例えば、商品Ｇ１、Ｇ２の場合には四本（図６）、商品Ｇ３の場合には五本等）収納可能な容量を有している。
【００３８】
また、各商品収納部３３、３３の底部には、当該商品収納部３３底部の断面形状に合致する底板３４がそれぞれ下部材３２上に載置されている。この底板３４は表面が滑らかな金属板から構成され、その上面に商品Ｇ１〜Ｇ３が滑動する滑らかな滑動面を構成する。更に、商品収納部３３、３３の周囲を囲繞する壁は商品保持部３６とされ、この商品保持部３６の高さは、背の高い商品Ｇ１を容易に取出可能に保持し、且つ、十分落下を防止できる所定の寸法とされている。但し、各商品収納部３３、３３の前後方向（長手方向）の一端部に位置する商品保持部３６の一端部（前後方向の一端部）は、他の部分（側部及び他端部）よりも低く構成され、低位部３６Ａ、３６Ａとされている。この低位部３６Ａの高さは、背の低い商品Ｇ２、Ｇ３を容易に取出可能に保持し、且つ、十分落下を防止できる寸法とされている。
【００３９】
また、左右の商品収納部３３、３３を仕切る商品保持部３６の仕切壁部３６Ｂには、持ち運び用のハンドル３７が取り付けられている。このハンドル３７は図３の如く上方に引き出した状態（持ち運ぶ際には引き出して使用する）と図４の如く仕切壁部３６Ｂ内に格納した状態とに、納出自在に仕切壁部３６Ｂに取り付けられている。この場合、ハンドル３７の形状は、当該ハンドル３７を握持するために上部に形成された直棒状の握持部３７Ａを握持したときに、図１３、図１４に示すように商品保持部３６の他端部側（高さ寸法が高い側）が低くなるように構成されている。
【００４０】
これにより、ハンドル３７の握持部３７Ａを持って持ち上げると、高さの低い商品保持部３６の低位部３６Ａが上となり、高さの高い他の部分（他端部側）が低くなるように収納具３は傾斜する。尚、各図においてＬ１は水平線を示す。これにより、商品収納部３３、３３内の商品Ｇ１〜Ｇ３は、高さの高い商品保持部３６の他端部側に寄りかかることになるので、背の高い商品Ｇ１（背の高い商品Ｇ１と低い商品Ｇ２、Ｇ３が混在する場合も含む）を収納した場合にも、持ち運びの際に商品Ｇ１が落下することも無くなる。
【００４１】
更に、各商品収納部３３、３３の長手方向（前後方向）の一端部と他端部にそれぞれ対応する商品保持部３６の長手方向（前後方向）の一端部（３６Ａの部分）と他端部（何れか一方でもよい）内には、商品Ｇ１〜Ｇ３の名称や価格が表示されたプライスカードＣを保持するためのカード保持部３８、３８がそれぞれ構成されている（図１６）。即ち、収納具３の商品保持部３６は、図１５〜図１７に示されるように所定間隔を存して下方に開口する二重壁構造とされており、商品保持部３６の長手方向の両端部におけるこの二重壁の間隔内に下方に開口したカード保持部３８が構成されている。この場合、各商品収納部３３、３３の両端部に対応する商品保持部３６の一端部と他端部はそれぞれ所定の湾曲形状とされており、カード保持部３８もそれに沿って平断面が湾曲した形状とされている。尚、４２は本体３１の下縁四隅から張り出した鍔部であり、前述した保持レール４Ａ、４Ｂに載置された際に、抑え部２６の下側（抑え部２６とレール壁２２との間）に進入して収納具３後部の浮き上がりを防止する目的で設けられている。
【００４２】
一方、下部材３２の長手方向（前後方向）の両端部には起立片３９、３９が立設されており、各起立片３９、３９は各カード保持部３８、３８内の左右方向の中央部であって商品収納部３３側に下方からそれぞれ進入する。また、各起立片３９、３９とその前側、或いは、後側の下部材３２端部間には所定寸法のカード載置面４１が構成されている。そして、プライスカードＣはカード保持部３８の下面に構成された下部材３２端部と商品保持部３６下縁間の隙間から当該カード保持部３８内に挿入され、カード載置面４１上に載置される（図１７）。尚、その場合背の高い商品Ｇ１を収納したときには、商品保持部３６の他端部側のカード保持部３８にプライスカードＣを挿入する。逆に、背の低い商品Ｇ２、Ｇ３を収納したときには、図１７に示すように低位部３６Ａ側のカード保持部３８にプライスカードＣを挿入する。
【００４３】
このとき、プライスカードＣはカード保持部３８の湾曲形状により湾曲するように強制されるが、それ自体の復元力により平板形状に復帰しようとするので、左右方向の中央部ではプライスカードＣは商品収納部３３側に移動しようとする。従って、プライスカードＣの左右方向の中央部は自ら起立片３９に接近する方向に移動するので、カード載置面４１上に安定的に載置され、保持されることになる。
【００４４】
このようにして、プライスカードＣはカード保持部３８内に装着される。このとき、本体３１は透明樹脂製であるので、プライスカードＣに表示された商品の名称や価格は、商品保持部３６を介して外部から支障無く視認することが可能である。尚、プライスカードＣを交換する際には、その左右方向の端部の商品収納部３３側に細い棒を差し込んで中央部をカード載置面４１から外側にずらす。これにより、プライスカードＣをカード保持部３８内から容易に引き出すことができるようになる。そして、このようにプライスカードＣを収納具３自体に容易に取り付けられることにより、別途プライスカードを低温ショーケース１に設置する必要が無くなる。また、カード保持部３８は下方に開口しているので、塵埃等がカード保持部３８内に侵入し難くなる。
【００４５】
次に、収納具３の下部材３２の下面は当該収納具３が保持レール４Ａ、４Ｂに載置された際の載置面となるものであるが、この下部材３２の前側の両隅部の前端面、及び、後側の両隅部の後端面には、前述した保持レール４Ａ、４Ｂの係合部２７が係脱可能に係合する被係合部４３・・・が構成されている。更に、各被係合部４３の内方、即ち、保持レール４Ａ、４Ｂの長手方向における内側は切り欠かれており、この切欠部分（係合部２７が通過可能な寸法を有する）の前端面、或いは、後端面にも係合部２７に係合する被係合部４４・・・がそれぞれ構成されている。即ち、下部材３２の四隅部には、保持レール４Ａ、４Ｂの長手方向においてそれぞれ二箇所（実施例では二箇所だが、更に多い複数の被係合部を形成してもよい）ずつ被係合部４３、４４が並設されている（図９）。
【００４６】
以上の構成で、次に収納具３の使用方法について説明する。収納具３の各商品収納部３３内には、複数本の商品Ｇ１（Ｇ２、Ｇ３）を一列に収納する。このとき、同一の収納具３には同銘柄の商品Ｇ１、或いは、Ｇ２、若しくは、Ｇ３を収納すると良い。また、この場合、底板３４の上面は滑らかな滑動面となっているので、商品は容易に移動でき、商品収納部３３内において整理整頓がし易い。そして、その状態で、コンビニエンスストアのバックヤードに配置された冷却庫（プレハブ冷蔵庫等）に収納しておき、当該冷却庫にて予め所定温度に冷却しておく。
【００４７】
そして、低温ショーケース１に商品を補充する際には、ハンドル３７の握持部３７Ａを持って収納具３ごと冷却庫から取り出す。その際、前述した如く収納具３は低位部３６Ａの反対側の他端部が低く傾斜するので、背の高い商品Ｇ１を収納した場合にも、低位部３６Ａから商品Ｇ１が落下することは無い。そして、低温ショーケース１の前まで運搬した後、収納具３ごと陳列室１１内に商品Ｇ１〜Ｇ３を収納する。
【００４８】
具体的には、背の高い商品Ｇ１を収納した収納具３の場合には、低位部３６Ａが後側（陳列室１１の奥側）となるように陳列室１１内に挿入する（設置状態を図２０に示す）。また、背の低い商品Ｇ２、Ｇ３を収納した収納具３の場合には、低位部３６Ａが前側（陳列室１１の開口側）となるように陳列室１１内に挿入する（設置状態を図１９に示す）。次に、収納具３の前側が保持レール４Ａ、４Ｂに対して高くなるように傾斜させた状態で、後側両隅の鍔部４２を保持レール４Ａ、４Ｂの抑え部２６、２６の下側の当該抑え部２６とレール壁２２の間に挿入する。次に、収納具３の前部を降ろし、係合部２７の奥側に被係合部４３が位置する状態で、下部材３２の両側部をレール壁２２上面に載置する。次に、収納具３全体を手前側に移動させ、被係合部４３を係合部２７の下側に進入させて、係合部２７を被係合部４３に係脱可能に係合させる（図２１）。
【００４９】
この状態で、係合部２７は保持レール４Ａ、４Ｂの長手方向における所定寸法に渡って収納具３の被係合部４３に係合する。これにより、収納具３が前方に移動することが無くなる。また、収納具３後部の鍔部４２は抑え部２６とレール壁２２間に進入して抑えられているので、収納具３は保持レール４Ａ、４Ｂ上に安定的に保持され、陳列室１１内において前側に低く傾斜した状態で陳列されることになる。
【００５０】
このとき、収納具３の本体３１及び下部材３２は透明樹脂にて構成されているので、商品Ｇ１〜Ｇ３は外部から支障無くその略全体を視認できるようになる。そして、図１に示すように、背の高い商品Ｇ１の場合には高さの高い商品保持部３６の他端部が、低く傾斜した前側となるので、商品Ｇ１が落下することは無い。また、背の低い商品Ｇ２、Ｇ３の場合には、商品保持部３６一端部の低位部３６Ａが前側となるので、商品Ｇ２、Ｇ３も支障無く取り出すことができる（図１）。また、カード保持部３８に取り付けたプライスカードＣも陳列室１１の前面側にて透視可能に設けられることになるので、商品の名称や価格も支障無く表示できる。
【００５１】
そして、顧客により最前列の商品Ｇ１〜Ｇ３が取り出されると、収納具３が傾斜していることにより、その後側の商品は底板３４の上面（滑動面）を滑動して前方に移動し、最前列に位置するので、商品収納部３３内に商品が残存している限り、陳列室１１の開口側には常に商品が陳列されることになる。
【００５２】
その後、収納具３内の商品が全て販売された場合には、収納具３を後方に移動させ、係合部２７と被係合部４３との係合を解除した後、前部を持ち上げ、その後手前に引いて抑え部２６下側から鍔部４２を引き出し、収納具３を陳列室１１内から取り出す。そして、前述同様にバックヤードの冷却庫で収納具３に収納した状態で予冷しておいた商品を低温ショーケース１の陳列室１１内に収納し、補充することになる。
【００５３】
ここで、顧客の手指が当たる等、何らかの要因で保持レール４Ａ、４Ｂ上の収納具３に衝撃が加わり、それが少許後退して被係合部４３が係合部２７から外れた場合、収納具３は保持レール４Ａ、４Ｂの傾斜によって前方に移動することになるが、被係合部４３の後方（内方）にはもう一つ被係合部４４が形成されているので、切欠部分が係合部２７に到達した時点で、今度は被係合部４４に係合部２７は係合する。これにより、被係合部４３から係合部２７が一旦外れた場合にも、収納具３の脱落は確実に阻止される（図２２）。
【００５４】
尚、このとき後部の鍔部４２は抑え部２６の下側より前方に移動してしまうが、係合部２７は保持レール４Ａ、４Ｂの長手方向における所定寸法に渡って被係合部４４に係合するので、係合部２７と被係合部４４との係合点を中心として収納具３が回転（後部が浮き上がる方向に回転）してしまう不都合も効果的に防止され、脱落は一層確実に阻止されることになる。
【実施例２】
【００５５】
次に、図２３は本発明の商品陳列販売用収納具の他の実施例の収納具３の斜視図を示している。尚、この図において図１乃至図２２中と同一符号で示すものは同様の機能を奏するものとする。前記実施例では透明樹脂によって収納具３の本体３１及び下部材３２を構成したが、この場合の収納具３の本体３１の商品収納部３３、商品保持部３６や、下部材３２は金属ワイヤーＹにて構成されている。
【００５６】
また、底板３４は両商品収納部３３、３３の底部に渡って取り付けられた一枚の金属板とされている。更に、カード保持部３８は商品保持部３６の両端部を構成するワイヤーＹに係合して着脱自在に取り付けられたクリップ状の板材にて構成されている。係る構成によれば、ワイヤーＹにて収納具３を製造できるようになるので、前述した実施例の場合に比して樹脂成型用の治具が不要となり、生産コストが削減される利点がある。
【００５７】
以上詳述した如き収納具３を用いれば、本体３１内の商品収納部３３に複数の商品Ｇ１〜Ｇ３を収納した状態で、低温ショーケース１の陳列室１１内に陳列することにより、外部より視認可能な状態で複数の商品Ｇ１〜Ｇ３を陳列室１１内に陳列することが可能となる。即ち、複数の商品Ｇ１〜Ｇ３を収納具３ごと低温ショーケース１の陳列室１１内に陳列することができるので、陳列室１１への商品補充作業を著しく簡素化することができるようになる。
【００５８】
また、同銘柄の商品を収納具３に収納することで、銘柄別に商品を陳列する作業も極めて容易となる。特に、商品を低温ショーケース１の場合には、収納具３に複数の商品を収納した状態でバックヤードにて予め冷却しておけば、そのまま低温ショーケース１に運んで陳列することも可能となるので、商品の販売機会を最大限拡大することも可能となる。
【００５９】
また、商品収納部３３の底面は底板３４により商品Ｇ１〜Ｇ３が滑動する滑らかな滑動面とされているので、商品収納部３３内において商品を容易に整頓することが可能となる。特に、実施例のように収納具３が陳列室１１内で手前側に低く傾斜して設けられる場合に、最前列の商品が取り出された時点でその後側の商品は円滑に最前列に移動することができるようになる。
【００６０】
また、本体３１の商品収納部３３の周囲に位置して商品Ｇ１〜Ｇ３を保持する商品保持部３６が設けられており、この商品保持部３６は、所定の高さ寸法を有すると共に、その一端部は他の部分より低い低位部３６Ａとされているので、商品収納部３３に背の高い商品Ｇ１を収納した場合にも確実に保持することが可能となると共に、背の低い商品Ｇ２、Ｇ３を収納した場合には、商品保持部３３の一端部側の低位部３６Ａが手前となるように陳列室１１内に設けることにより、支障無く商品収納部３３から商品Ｇ２、Ｇ３を取り出すことができるようになる。
【００６１】
特に、持ち運び用のハンドル３７が設けられており、このハンドル３７の形状を、握持部３７Ａを握持した状態で商品保持部３３の他端部側が低くなるようにしているので、持ち運びの際にハンドル３７の握持部３７Ａを握持すると、商品保持部３３の一端部より高さの高い他端部側に商品が寄りかかることになる。これにより、持ち運び時に背の高い商品Ｇ１が落下してしまう不都合も防止することが可能となる。
【００６２】
また、本体３１には商品収納部３３の一端部、及び、他端部にプライスカードＣを着脱可能に保持するカード保持部３８を備えているので、商品Ｇ１〜Ｇ３の価格や名称が表示されたプライスカードＣを収納具３自体に設けることができるようになり、プライスカードＣの設置作業も容易となる。
【００６３】
そして、低温ショーケース１は、収納具３を保持する一対の保持レール４Ａ、４Ｂを備えており、この保持レール４Ａ、４Ｂが、陳列室１１内において高さ位置を変更可能に取り付けられる構成とされているので、商品Ｇ１〜Ｇ３の高さ寸法に合わせて保持レール４Ａ、４Ｂを取り付ける高さ位置を変更し、収納具３ごと陳列室１１内に効率よく商品を陳列することができるようになる。
【００６４】
特に、一対の保持レール４Ａ、４Ｂが着脱可能に取り付けられるラック２を設け、このラック２を、陳列室１１の棚支柱に着脱可能に取り付ける構成としたので、陳列室１１内に棚が架設される通常の低温ショーケース１の棚支柱を利用して陳列室１１内にラック２を取り付け、保持レール４Ａ、４Ｂに収納具３を設けることが可能となり、汎用性の著しい改善を図ることが可能となる。
【００６５】
また、収納具３に係脱自在に係合する係合部２７を保持レール４Ａ、４Ｂに形成しているので、保持レール４Ａ、４Ｂからの収納具３の脱落を防止することができるようになる。更に、係合部２７は、保持レール４Ａ、４Ｂの長手方向において収納具３に並設された二箇所（複数）の被係合部４３、４４に係脱可能に係合する構成としたので、被係合部４３に係合部２７を係合させて取り付けた後、一旦係合部２７から収納具３が外れた場合にも、保持レール４Ａ、４Ｂの長手方向に移動した段階でもう一つの被係合部４４に係合部２７が係合できるようになり、保持レール４Ａ、４Ｂからの収納具３の脱落を効果的に防止することができるようになる。特に、係合部２７は、保持レール４Ａ、４Ｂの長手方向における所定寸法に渡って収納具３の被係合部４３、或いは、４４に係合する構成としたので、係合部２７と被係合部４３、４４との係合点を中心として収納具３が回転してしまう不都合も防止でき、保持レール４Ａ、４Ｂからの収納具３の脱落を一層確実に防止することができるようになる。
【実施例３】
【００６６】
次に、図２４は本発明を適用したショーケースのもう一つの実施例としての低温ショーケース１Ａの斜視図を示している。この実施例の低温ショーケース１Ａは、商品Ｇ１〜Ｇ３をキャスタ４６付きのカート４７に陳列し、このカート４７ごと陳列室１１内に収納して冷却しながら陳列する所謂カートインタイプの低温ショーケースである。尚、この実施例において、前述した実施例と同一符号で示すものは同一、若しくは、同様の機能を奏するものとする。
【００６７】
即ち、この実施例の低温ショーケース１Ａも、コンビニエンスストアやスーパーマーケット等の店舗内に設置されてペットボトル飲料や缶飲料等の商品Ｇ１〜Ｇ３を冷却しながら陳列販売するためのオープンショーケースであり、略門型の断熱壁６から構成された本体９内に前面が開口した陳列室１１が構成されている。また、この実施例の場合、本体９の上部に圧縮機や凝縮器等の冷却ユニットが設置された機械室１２が構成されている。
【００６８】
そして、陳列室１１と仕切られた図示しないダクト内に設置された冷却器（前記冷凍ユニットを構成する）と熱交換した冷気を、これも図示しない送風機によって陳列室１１の開口上縁より吹き出し、背面下部から吸い込む（上縁には図示しない冷気吹出口、背面下部には冷気吸込口１３が形成されている）ことにより、開口に冷気エアーカーテンを形成しながら、陳列室１１内を所定温度（冷蔵温度）に冷却する構成とされている。
【００６９】
係る低温ショーケース１Ａの陳列室１１内には、カート４７が二台並べて収納設置できる構成とされている。このカート４７は図２４に示すように、底壁を構成する平面矩形上のベース４８と、このベース４８上の両側に立設された枠状のフレーム４９、４９とから成り、ベース４８の底面四隅に移動用のキャスタ４６・・・が取り付けられ、このキャスタ４６・・・を用いて移動自在とされている。
【００７０】
そして、このカート４７のベース４８上のフレーム４９、４９間に、前述したラック２が二個並べて取り付けられている。そして、各ラック２には前述した保持レール４Ａ、４Ｂが複数対（この実施例でも一つのラック２について上下に三対若しくは五対）取り付けられ、各保持レール４Ａ、４Ｂには前述同様に収納具３が上下に必要最小限の間隔で着脱自在に収納可能とされている。
【００７１】
この実施例の低温ショーケース１Ａの場合、商品Ｇ１〜Ｇ３を収納した収納具３・・・をカート４７の各ラック２、２に保持させ、このカート４７ごとコンビニエンスストア等のバックヤードに配置された冷却庫（プレハブ冷蔵庫等）に収納し、当該冷却庫にて予め所定温度に冷却しておく。そして、商品を補充する際には、低温ショーケース１Ａ内に収納されたカート４７（商品が売り切れたもの）を引き出し、冷却庫からカート４７を出して低温ショーケース１Ａまで移動させ、引き出したカート４７の代わりにこの冷却庫から移動させて来たカート４７を低温ショーケース１Ａ内に収納する。
【００７２】
これにより、予め冷却された大量の商品Ｇ１〜Ｇ３をカート４７ごと一度に陳列室１１内に補充することができるようになり、繁忙期等、大量の商品が販売されて一度に大量の補充が必要となる場合には、極めて有利なものとなる。一方で、前述同様に収納具３を持って個々の収納具単位で補充することも勿論可能であるので、商品の売れ方に応じた補充作業が可能となるものである。
【００７３】
尚、上記各実施例では低温ショーケース１、１Ａの場合を例にとって説明したが、それに限らず、商品を加温しながら陳列販売する温蔵ショーケースでもよい。その場合にはバックヤードでも加温しておくことになる。また、係る冷温ショーケースに限らず、常温で商品を陳列販売するショーケースにも本発明は有効である。
【図面の簡単な説明】
【００７４】
【図１】本発明を適用したショーケースの実施例としての低温ショーケースの斜視図である。
【図２】図１の低温ショーケースに取り付けられたラックの斜視図である。
【図３】本発明を適用した商品陳列販売用収納具の実施例としての収納具の斜視図である（実施例１）。
【図４】図３の収納具のもう一つの斜視図である。
【図５】図３の収納具の透視斜視図である。
【図６】商品を収納した状態の図３の収納具の斜視図である。
【図７】図３の収納具のもう一つの透視斜視図である。
【図８】図３の収納具の平面図である。
【図９】図３の収納具の底面図である。
【図１０】図３の収納具の正面図である。
【図１１】図３の収納具の背面図である。
【図１２】図３の収納具の透視正面図である。
【図１３】図３の収納具の右側面図である。
【図１４】図３の収納具の左側面図である。
【図１５】図３の収納具の縦断正面図である。
【図１６】図３の収納具の縦断側面図である。
【図１７】図３の収納具前部の拡大縦断側面図である。
【図１８】図２のラックに取り付けられる保持レールの斜視図である。
【図１９】図１８の保持レールに保持された状態の図３の収納具の透視斜視図である。
【図２０】図１８の保持レールに保持された状態の図３の収納具のもう一つの透視斜視図である。
【図２１】図２０の収納具の縦断側面図である。
【図２２】図２０の収納具のもう一つの縦断側面図である。
【図２３】本発明を適用した商品陳列販売用収納具の他の実施例としての収納具の斜視図である（実施例２）。
【図２４】本発明を適用したショーケースの実施例としてのもう一つの低温ショーケースの斜視図である（実施例３）。
【符号の説明】
【００７５】
１、１Ａ  低温ショーケース（ショーケース）
２  ラック
３  収納具（商品陳列販売用収納具）
４Ａ、４Ｂ  保持レール
１１  陳列室
１８  係合孔
２４  係合爪
２６  抑え部
２７  係合部
３１  本体
３２  下部材
３３  商品収納部
３４  底板
３６  商品保持部
３６Ａ  低位部
３７  ハンドル
３７Ａ  握持部
３８  カード保持部
４２  鍔部
４３、４４  被係合部
４７  カート
Ｃ  プライスカード
Ｇ１〜Ｇ３  商品
【図１】
2008272052.tif 000003
【図２】
2008272052.tif 000004
【図３】
2008272052.tif 000005
【図４】
2008272052.tif 000006
【図５】
2008272052.tif 000007
【図６】
2008272052.tif 000008
【図７】
2008272052.tif 000009
【図８】
2008272052.tif 000010
【図９】
2008272052.tif 000011
【図１０】
2008272052.tif 000012
【図１１】
2008272052.tif 000013
【図１２】
2008272052.tif 000014
【図１３】
2008272052.tif 000015
【図１４】
2008272052.tif 000016
【図１５】
2008272052.tif 000017
【図１６】
2008272052.tif 000018
【図１７】
2008272052.tif 000019
【図１８】
2008272052.tif 000020
【図１９】
2008272052.tif 000021
【図２０】
2008272052.tif 000022
【図２１】
2008272052.tif 000023
【図２２】
2008272052.tif 000024
【図２３】
2008272052.tif 000025
【図２４】
2008272052.tif 000026